(57)【要約】【課題】配置販売業において、平成１８年改正薬事法に対応する、「医薬品の保管出納記録」を保管する必要が生じている。【解決手段】開口部以外が密閉されている外箱と、前記開口部にて着脱自在に収納される薬引き出しよりなる医療箱に、前記薬引き出しよりも薄く形成され、前記薬引き出しに対して垂直方向の位置にて水平に載置されると共に、前記開口部にて着脱自在に収納される書類引き出しを設けた。【選択図】図１
0003127839.tif 000002
【実用新案登録請求の範囲】
【請求項１】
前面に設けられた開口部以外が密閉されている外箱と、
前記外箱の開口部にて着脱自在に収納される薬引き出しと、
前記薬引き出しよりも薄く形成され、前記薬引き出しに対して垂直方向の位置にて水平に載置されると共に、前記開口部にて着脱自在に収納される書類引き出しと
よりなることを特徴とする薬箱。
【請求項２】
前記外箱の内側には、前記書類引き出しが前記薬引き出しの上側に載置されるための支持板が設けられていることを特徴とする、請求項１記載の薬箱。
【請求項３】
前記書類引き出しの前面には、前記薬引き出しの前面と接することにより隙間を小さくする凸部を備えることを特徴とする、請求項１記載の薬箱。
【請求項４】
前記薬引き出しの内部には、少なくとも前記薬引き出しの内部を二分割以上に分割する間仕切りを備えることを特徴とする、請求項１記載の薬箱。
【請求項５】
前記薬引き出しの前面には、少なくとも前記薬引き出しの内部が前記間仕切りによって分割されている状態を示す分類標識を視認可能に備えることを特徴とする、請求項４記載の薬箱。
【考案の詳細な説明】
【技術分野】
【０００１】
本考案は、医薬品を収納する薬箱に適用して好適な技術に関する。
【背景技術】
【０００２】
従来、定期的に各家庭を巡回し、常備薬を収納する薬箱の中身を確認して、不足している常備薬を補充するサービスが行われている。
販売員（配置員）が消費者の家庭を訪問し、医薬品の入った薬箱（配置箱）を配置し、次回の訪問時に使用した分の代金を清算し、徴収する仕組み（「先用後利（せんようこうり）」という。）の医薬品販売業である。
この常備薬補充巡回サービスは、昔から「富山の薬売り」との名称にて周知であり、正式名称は配置販売業という。
【０００３】
配置販売業の業態について簡単に説明する。
顧客である一般家庭に配置箱に医薬品を置き込むと共に、箱の中に置き込んだ薬の品目と数量を明記した「お預かり伝票」を、顧客に引き渡し、保管をお願いする。
お預かり伝票は「医薬品の保管出納記録」（以下、「保管出納記録」と略す。）ともいう。保管出納記録には、訪問先得意先氏名（宛名）、訪問担当者名、訪問年月日時分、前回訪問時お預け商品名、数量、単価、と今回訪問時御使用量、御使用金額、ご入金額と今回お預かり商品名、数量、単価、社名、会社連絡先電話番号とＦＡＸ番号等が基本的情報として記載される。
【０００４】
配置販売業の顧客は、殆どが一般家庭である。企業等とは異なり、配置員が顧客に対して保管出納記録を自宅内のしかるべき場所に保管することを依頼したとしても、それが徹底される可能性は低く、期待できない。また、そのような、自分にとって直接的に関係するものではない書類の保管は忘れられ易い。最悪の場合、ゴミや古紙回収に紛れてしまう等の事故が十分考えられる。
なお、従来の薬箱の一例を特許文献１に示す。
【０００５】
従来の薬箱を図１１に示す。
薬箱１１０１は、極めて一般的且つ周知の、直方体形状の薬箱である。
外箱１１０２はＡＢＳ樹脂を成形したものである。外部からの衝撃に耐え得る素材である。
薬引き出し１１０３は透明アクリルを成形したものである。中身が見え易いように透明な材質が用いられている。
【特許文献１】特開平１０−１９２３４３号公報
【考案の開示】
【考案が解決しようとする課題】
【０００６】
しかしながら、このような構成の薬箱に、例えばＢ５サイズの保管出納記録を収納するには、折り畳む等の加工が必要になる。また、医薬品を使用したり交換したりする等の、引き出しへのアクセスに伴って、保管出納記録が汚れたり、痛んだりする。つまり、図１１に示した従来の薬箱１１０１や、特許文献１に示されるような薬箱は、医薬品と共に保管出納記録を保管するには適していない。
【０００７】
本考案はかかる点に鑑みてなされたものであり、従来のものと比べて堅牢性や製造容易性を損なわず、「医薬品の保管出納記録」の保管にも優れた、薬箱を提供することを目的とする。
【課題を解決するための手段】
【０００８】
上記課題を解決するための本考案は、前面に設けられた開口部以外が密閉されている外箱と、前記外箱の開口部にて着脱自在に収納される薬引き出しと、前記薬引き出しよりも薄く形成され、前記薬引き出しに対して垂直方向の位置にて水平に載置されると共に、着脱自在に収納される書類引き出しとよりなることを特徴とする薬箱に関するものである。
【０００９】
考案者は、従来の薬箱に書類を収納する引き出しを設けることを思いついた。
その際、既存のプラスチック製薬箱に対する設計変更を最小限に抑えることが必要であった。
そこで、従来技術の薬箱に用いられている材料や技術をそのまま踏襲しつつ、外箱に工夫を加えることにより、書類引き出しを新たに収納することを思いついた。
【考案の効果】
【００１０】
本考案により、平成１８年改正薬事法に対応する、「医薬品の保管出納記録」を収納する専用の引き出しを、薬箱に設けたので、保管出納記録の紛失や破損の虞がない、便利な薬箱を提供できる。
【考案を実施するための最良の形態】
【００１１】
以下、本考案の実施の形態を、図１〜図１０を参照して説明する。
【００１２】
図１は、本考案の一実施形態よりなる、薬箱１０１の外観斜視図である。
薬箱１０１は、外箱１０２に、薬引き出し１０３と書類引き出し１０４を収納する。
外箱１０２はＡＢＳ樹脂を成形したものである。外部からの衝撃に耐え得る素材である。これは従来の薬箱と同等の構成である。但し、内部は従来のものと比べると、若干構成が変更されている。これは後述する。
薬引き出し１０３は透明アクリルを成形したものである。中身が見え易いように透明な材質が用いられている。外見は従来の薬箱の引き出しと同一の構成であるが、中身には若干の工夫が施されている。これは後述する。
【００１３】
書類引き出し１０４は今般の考案の主要構成要件である。外箱１０２の、薬引き出し１０３の上側に出し入れ可能に収納される。図１を見て判るように、幅は薬引き出し１０３と同一であり、高さは薬引き出し１０３と比べると薄い。
すなわち、配置販売業が顧客に保管をお願いする「医薬品の保管出納記録」（以下、「保管出納記録」と略す。）を収納する専用の引き出しを、薬箱に設けた。それが書類引き出し１０４である。
【００１４】
配置販売業という役務は、通常の訪問販売とは販売形態が異なる。この形態は「ルートセールス」という表現もされている。
家庭に留め置かれる薬箱は、薬が開封されない限りは商品の取引が発生しない。
開封された薬は、次回の巡回サービスの際に記録され、代金の授受が行われる。
つまり、薬箱はいわば「薬局の陳列棚」そのものである。
ところで、医薬品は患者が抱える症状に応じて使い分けられるものである。
したがって、医薬品を服用する際には、事前に十分説明書を読んで理解する必要がある。
医薬品の説明書は、法によって義務付けられた内容として、薬の外装部分にも、内容の効能効果、内容成分、服用方法、保管と使用上の注意事項については記載されている。
しかし、副作用等についての細かな情報等は記載されていない。更に、それぞれの医薬品について、簡単なよくある質問等への応答などは記載されていない。
つまり、「この薬は果たして今使うべきなのか」と判断する際の参考になる情報を提供する、詳細な説明書は、医薬品を開封しなければ見ることができない。
配置販売業の役務にて提供される常備薬は、開封行為が商品の購入行為となる。
ここに、必要な薬の内容を確認するには当該薬を購入しなければならない、という矛盾が生じる。
そこで、保管出納記録と共に、薬箱内に収納されている医薬品の説明書も、書類引き出しに保管する。
顧客は、商品の購入前に書類引き出し内の説明書を読み、内容を確認した上で、購入（開封）の是非を決定できる。
また、平成１８年薬事法改正に伴い、医薬品の第２分類においては情報提供の努力義務と、第２及び第３分類においては相談応需義務が生じる。そこで、これに対応する形で、それぞれの品目についての詳しい説明書を薬箱に設ける書類引き出しに「お預かり伝票」と一緒に保管して貰う。こうすることにより、顧客へのサービス提供において、また法的義務に対応する面からも対応できる。
【００１５】
なお、書類引き出し１０４に多数の医薬品の説明書が収納されると、その中身が膨大になることが考えられる。そこで、書類引き出し１０４に収める説明書は簡素なものに留め、詳細な内容はインターネット経由にて提供するビジネスモデルが考えられる。例えば、説明書に印刷されているＱＲコードを携帯電話で読み取り、携帯電話によるインターネットへのアクセスにて、詳細な説明書を提示してもよい。
【００１６】
図２（ａ）及び（ｂ）は、外箱１０２の外観斜視図である。
図２（ａ）は、薬箱１０１を構成する外箱１０２から薬引き出し１０３と書類引き出し１０４を抜き取った状態の、外箱１０２の外観斜視図である。
ここで、再度、外箱１０２について説明する。
外箱１０２の前面は、後述する薬引き出し１０３と書類引き出し１０４を取り外し可能に収納すべく、開口部２０２が設けられている。
図２（ｂ）は、外箱１０２の、開口部２０２の逆方向に位置する後側を見た外観斜視図である。後側は密閉板２０５によって閉じられている。薬引き出し１０３を外箱１０２に収納した状態において、塵埃の侵入を防ぐためである。
【００１７】
図２（ａ）を再度参照する。
開口部２０２から、支持板２０３及び２０４が見えている。支持板２０３及び２０４は、外箱１０２の内側の側壁に設けられている。これらは書類引き出し１０４を外箱１０２に収納する際に、書類引き出し１０４を外箱１０２の内部で支持するためのものである。つまり、指示板２０３及び２０４の上に書類引き出し１０４が載置される状態となる。
【００１８】
図２（ａ）には、薬引き出し１０３も図示している。
薬引き出し１０３の内部には、スリット２０７及び２０８が設けられている。これらスリット２０７及び２０８には切り込みが設けられており、その切り込みに間仕切り２０６がはまるようになっている。薬引き出し１０３は、スリット２０７及び２０８の切り込みによって、外箱１０２に対して出し入れする方向に平行に設けられている。
【００１９】
改正薬事法において、一般医薬品は、含有成分の違いにより生じるリスクの違いに基づき、第一、第二そして第三分類に分けられる。
第一類医薬品は、含有成分により特にリスクの高い医薬品として分類され、薬剤師が取り扱えるものである。内容の情報提供は義務として定められている。
第二類医薬品は、含有成分によりリスクが比較的高い医薬品として分類され、薬剤師及び登録販売者（店舗販売業及び配置販売業）が取り扱えるものである。内容の情報提供は努力義務として定められている。
第三類医薬品は、含有成分によりリスクが比較的低い医薬品として分類され、薬剤師及び登録販売者（店舗販売業及び配置販売業）が取り扱えるものである。内容の情報提供は不要として定められている。
なお、第１、第２、第３分類全ての分類の医薬品に関して、相談応需（医薬品の処方を受ける者から相談があったときは必ず対応する行為）は必要とされ、義務付けされる。
【００２０】
本願出願時点において、訪問販売業者が顧客に医薬品を販売する際に、当該医薬品が該当する分類に従って、明確に区分することの義務付けが、政令等で決定される動きがある。
そこで、配置販売業は、分類に従って薬箱薬箱を区分する必要が生じる。
そこで、薬引き出し１０３を、間仕切り２０６で仕切る。
配置販売業が扱うことのできる第二及び第三分類の医薬品を、間仕切り２０６を用いて分類するのである。
【００２１】
図３は薬引き出し１０３の斜視図である。
前述のように、薬引き出し１０３は透明アクリルを成形したものである。そこで、スリット２０７に分類カード３０２及び３０３を挟み込む。分類カード３０２に記されている「第２分類」の表記、及び分類カード３０３に記されている「第３分類」の表記により、薬引き出し１０３に収納される医薬品のリスクが需要者に明確にわかる。
【００２２】
図４は外箱１０２を水平方向に切断した際の、上から見た断面図である。
指示板２０３及び２０４は、書類引き出し１０４が外箱１０２に収納され、また引き出される際に、その位置を保持するに十分な長さ及び幅が設けられている。
【００２３】
図５は書類引き出し１０４の外観斜視図である。
書類引き出し１０４は、およそＡ４サイズの書類を収納するに余裕のある奥行きで設計されている。
取っ手４０２は、書類引き出し１０４の内部に書類を収納する際に邪魔にならないように、外側に対して出っ張りを形成している。
前面化粧板４０３は、書類引き出し１０４と薬引き出し１０３を外箱１０２に収納した状態で、薬引き出し１０３と書類引き出し１０４との間に隙間を作らないように設けられたものである。このため、書類引き出し１０４の底辺から下側へ延びている、前面化粧板４０３の下側の凸部４０４の幅は、支持板２０３及び２０４の厚みにほぼ等しい。
【００２４】
図２（ａ）及び図３に示した間仕切り２０６は、薬引き出し１０３を二分割する構成である。これに代えて、間仕切りの構成を変更し、薬引き出し１０３を更に細分化する構成を採ることもできる。
図６、図７及び図８は、本考案の別の実施形態による間仕切りの斜視図である。
図６はスライダ６０２とレール６０３とが組み立てられる有り様を示す。
スライダ６０２に設けられている突起が、レール６０３に設けられている溝にはまる。
図７は中仕切り７０１を示す。
中仕切り７０１は、スライダ６０２とレール６０３が合わさったものである。
スライダ６０２に対してレール６０３は矢印Ａ方向に移動可能であり、中仕切り７０１は伸縮自在となっている。
図８は間仕切り８０１の全体斜視図である。
大仕切り８０２に設けられている溝に、中仕切り７０１の端に設けられている突起がはまる。
大仕切り８０２の溝に対して、中仕切り７０１は矢印Ｂ方向に移動可能である。
間仕切り８０１は、図２（ａ）に示されるように、薬引き出し１０３の内部に組み込まれる。
【００２５】
図９（ａ）及び（ｂ）は、薬引き出し１０３の上面図である。
図９（ａ）に示すように、大仕切り８０２は薬引き出し１０３の短辺内側に設けられる溝にはまる。
大仕切り８０２は、薬引き出し１０３内の設置位置を図９（ａ）の矢印方向に移動可能である。
図９（ｂ）に示すように、中仕切り７０１は薬引き出し１０３の右側長辺内側に設けられる溝にはまる。
中仕切り７０１は、薬引き出し１０３内の設置位置を図９（ｂ）の矢印方向に移動可能である。
なお、薬引き出し１０３の片方の側面だけでなく、もう片方の側面にも溝を設けて、中仕切り７０１が薬引き出し１０３の両側面に載置できるように構成してもよい。
【００２６】
図１０は、本考案の別の実施形態による薬引き出しの斜視図である。
薬引き出し１００３の壁１００４には、間仕切り１００５の一端に設けられている把持部１００６が挟まっている。
間仕切り１００５全体はＡＢＳ樹脂等の合成樹脂にてなる。
把持部１００６は間仕切り１００５よりも肉厚に構成されており、薬引き出し１００３の壁１００４への挟み込み状態だけで止まっている。なお、間仕切り１００５の、把持部１００６と相対する方の端は自由端であり、薬引き出し１００３の内壁にはほぼ接触しない構成になっている。
間仕切り１００５は図２（ａ）及び図３に示した間仕切り２０６とは異なり、薬引き出し内部に設けられるスリットの位置に依存せずに、壁１００４の幅の範囲内ならどこの位置でも止めることができる。
【００２７】
配置販売業の役務提供を受ける顧客は、抱える体調や症状等によって提供を受ける医薬品の種類が異なる。このため、顧客に応じて提供する医薬品を分類（カテゴライズ）する必要がある。そこで、上述の伸縮自在な間仕切りを薬引き出し１０３内部に設ける。設置の自由度が向上した間仕切りを設けることにより、サービス提供者が医薬品補充作業や、保管出納記録に医薬品供給を記録する際の、作業の効率化に役立つと共に、作業の間違いを減らす。
【００２８】
改正薬事法において、一般医薬品は、含有成分の違いにより生じるリスクの違いに基づき、第一、第二そして第三分類に分けられる。本願出願時点において、訪問販売業者が顧客に医薬品を販売する際に、当該医薬品が該当する分類に従って、明確に区分することの義務付けが、政令等で決定される動きがある。
そこで、配置販売業は、分類に従って薬箱を区分する必要が生じる。
その際、薬箱の限られたスペースを有効に活用すべく、伸縮自在の間仕切りと、これに対応する薬引き出しを開発するに至った。
【００２９】
本実施形態には、以下のような応用例が考えられる。
（１）塵埃の侵入をより強固に防ぐために、外箱１０２の開口部２０２の内側と、薬引き出し１０３の前面蓋部分の上側に、フェルト地のテープを貼付することができる。
（２）外箱１０２、薬引き出し１０３及び書類引き出し１０４の材料は、合成樹脂に限らない。特に外箱１０２は木製であってもよい。また、段ボールを複数枚重ね合わせて強度を増した材で構成することもできる。
（３）書類引き出し１０４を薬引き出し１０３の下側に設けることも不可能ではない。その際には、外箱１０２を二重構造にして、薬引き出し１０３の荷重が書類引き出し１０４に及ばないように設計する必要が生じる。
（４）特に在宅療養者の一部に見受けられる、知的障害等を抱える者が、不用意に保管出納記録を破損する事故を防ぐために、書類引き出し１０４に鍵を設けることができる。
【００３０】
本実施形態においては、平成１８年改正薬事法に対応する、お預かり伝票と医薬品各品目説明書を収納する引き出しを、薬箱に設けた。
本実施形態は、配置販売業の顧客にとって、法改正に対応する保管出納記録を、医薬品と共に、必要且つ十分に保管できる、極めて便利な薬箱を実現する。
更に、配置販売業の特殊性故、顧客が常備薬の開封前に説明書を必要がある。保管出納記録と共に説明書を保管することにより、商品の購入前に書類引き出し内の説明書を読み、内容を確認した上で、購入（開封）の是非を決定できる。したがって、顧客に親切な薬箱を実現する。
本考案に掛かる薬箱は、従来技術の薬箱の金型に対する変更が最小限で済むので、設計変更に伴うコストアップの負担が少ない。
また、従来技術の薬箱と使い勝手が殆ど変わらないので、サービスを受ける顧客に対する負担が少ない。
また、薬引き出しに設けた伸縮自在の間仕切りは、法改正に対応して医薬品の整理整頓を効率化すると共に、医薬品供給作業や保管出納記録の記載作業等を効率化し、作業の間違いを減らす。
【００３１】
以上、本考案の実施形態例について説明したが、本考案は上記実施形態例に限定されるものではなく、特許請求の範囲に記載した本考案の要旨を逸脱しない限りにおいて、他の変形例、応用例を含むことは言うまでもない。
【図面の簡単な説明】
【００３２】
【図１】本考案の一実施の形態による薬箱の外観斜視図である。
【図２】外箱の外観斜視図である。
【図３】薬引き出しの斜視図である。
【図４】外箱を水平方向に切断した際の、上から見た断面図である。
【図５】書類引き出しの外観斜視図である。
【図６】スライダとレールとが組み立てられる有り様を示す斜視図である。
【図７】中仕切りの外観斜視図である。
【図８】間仕切りの全体斜視図である。
【図９】本考案の一実施の形態による薬引き出しの上面図である。
【図１０】本考案の一実施の形態による薬引き出しの斜視図である。
【図１１】従来技術による薬箱の外観斜視図である。
【符号の説明】
【００３３】
１０１…薬箱、１０２…外箱、１０３…薬引き出し、１０４…書類引き出し、２０２…開口部、２０５…密閉板、２０３、２０４…支持板、２０６…間仕切り、２０７、２０８…スリット、３０２、３０３…分類カード、６０２…スライダ、６０３…レール、７０１…中仕切り、８０１…間仕切り、８０２…大仕切り
【図１】
0003127839.tif 000003
【図２】
0003127839.tif 000004
【図３】
0003127839.tif 000005
【図４】
0003127839.tif 000006
【図５】
0003127839.tif 000007
【図６】
0003127839.tif 000008
【図７】
0003127839.tif 000009
【図８】
0003127839.tif 000010
【図９】
0003127839.tif 000011
【図１０】
0003127839.tif 000012
【図１１】
0003127839.tif 000013